(57)【要約】【課題】  鞄やバッグのベルト取付け金具を構成するナス環において、その開口部を大きく開閉自在にし、ナス環の係止部材を容易に係脱できるようにすること。【解決手段】  フック部材１の基部1aの側部に一対のプレート５を挟持固定し、そのプレート５の案内溝5aに係止軸６をスプリング７を介して出入自在に摺動させ、その軸線がフック先端1b方向に向くようにする。【選択図】        図３
0003126270.tif 000002
【実用新案登録請求の範囲】
【請求項１】
フック部材(1) の基部(1a)の端面に軸部(2) が突設され、その軸部(2) が環状の連結部材(3) に回動自在に軸支され、
そのフック部材(1) の基部(1a)に係止部材(4) が取り付けられ、
その係止部材(4) が、前記基部(1a)とフック部材(1) のフック先端(1b)との間を開閉自在に且つ、スプリングの弾発力により閉塞方向に付勢されたナス環において、
その係止部材(4) は、一対のプレート(5) と係止軸(6) とを有し、
一対のプレート(5) は、前記フック部材(1) の基部(1a)を両面から挟持して互いにカシメ固定されると共に、それぞれ対向する位置に案内溝(5a)が前記フック先端(1b)方向にその端まで形成され、
前記係止軸(6) は、その一対のプレート(5) の案内溝(5a)にスプリング(7) を介してその軸線方向に出入自在に摺動され、
一対のプレート(5) の側部に設けたスリット状の貫通部(5b)を介して、前記係止軸(6) にツマミ(8) が連結され、そのツマミ(8) が一対のプレート(5) の側面から突出されたことを特徴とするナス環。
【請求項２】
フック部材(1) の基部(1a)の端面に軸部(2) が突設され、その軸部(2) が環状の連結部材(3) に回動自在に軸支され、
フック部材(1) の基部(1a)に係止部材(4) が取り付けられ、
その係止部材(4) が、前記基部(1a)とフック部材(1) のフック先端(1b)との間を開閉自在に且つ、スプリングの弾発力により閉塞方向に付勢されたナス環において、
その係止部材(4) は、一対のプレート(10)を有し、
各プレート(10)は、前記フック部材(1) の基部(1a)に、前記フック先端(1b)方向に沿って設けられたガイド(9) を両面から挟持すると共に、そのガイド(9) に摺動自在に案内されて先端(10a) がフック部材(1) のフック先端(1b)に接離自在に当接し、
そのプレート(10)の外面にツマミ部(10b) が一体に突設され、
その一対のプレート(10)と前記ガイド(9) との間にスプリング(7) が内装されたことを特徴とするナス環。
【考案の詳細な説明】
【技術分野】
【０００１】
本考案は、鞄やバッグの側部に取付けられるショルダーベルトの係止金具とベルトとの間に介装されるナス環に関する。
【背景技術】
【０００２】
従来のナス環として、下記特許文献１が知られている。このナス環は、金属ダイキャスト製のフック部材と、そのフック部材の基部から伸びてその先端がフック部材の先端の内面に弾発的に当接する係止片とを備えている。そしてフック部材の基部上端に軸部を突設し、それをベルト等に係止する連結環に対して回転自在に軸支したものである。係止片はバネ性を有する線材からなり、細長い偏平環状に曲折してその両端部をフック部材の基部に段違いに取付けたものである。そして、係止片が基部を中心に回動され、基部とフック部先端との間を開口し、そこに鞄側部に取付けたリング状の係止金具を係脱自在に係止するものである。
【０００３】
【特許文献１】特開平１１−２３５２２３号公報
【考案の開示】
【考案が解決しようとする課題】
【０００４】
従来のナス環の係止片はフック部材の基部を中心にしてフック部内を揺動するものであり、それが内側に移動されてフック部材を開口し、そこから係止金具のリングを係脱自在に挿入するものである。そころが、その係止片をフック部の内側に揺動させても、弾発するその係止片が邪魔となり、係止部材のリングをその開口から円滑に挿脱し難い欠点があった。
そこて本考案は、係止部材の挿脱を容易なナス環を提供することを課題とする。
【課題を解決するための手段】
【０００５】
請求項１に記載の本考案は、フック部材(1) の基部(1a)の端面に軸部(2) が突設され、その軸部(2) が環状の連結部材(3) に回動自在に軸支され、
そのフック部材(1) の基部(1a)に係止部材(4) が取り付けられ、
その係止部材(4) が、前記基部(1a)とフック部材(1) のフック先端(1b)との間を開閉自在に且つ、スプリングの弾発力により閉塞方向に付勢されたナス環において、
その係止部材(4) は、一対のプレート(5) と係止軸(6) とを有し、
一対のプレート(5) は、前記フック部材(1) の基部(1a)を両面から挟持して互いにカシメ固定されると共に、それぞれ対向する位置に案内溝(5a)が前記フック先端(1b)方向にその端まで形成され、
前記係止軸(6) は、その一対のプレート(5) の案内溝(5a)にスプリング(7) を介してその軸線方向に出入自在に摺動され、
一対のプレート(5) の側部に設けたスリット状の貫通部(5b)を介して、前記係止軸(6) にツマミ(8) が連結され、そのツマミ(8) が一対のプレート(5) の側面から突出されたことを特徴とするナス環である。
【０００６】
請求項２に記載の本考案は、フック部材(1) の基部(1a)の端面に軸部(2) が突設され、その軸部(2) が環状の連結部材(3) に回動自在に軸支され、
フック部材(1) の基部(1a)に係止部材(4) が取り付けられ、
その係止部材(4) が、前記基部(1a)とフック部材(1) のフック先端(1b)との間を開閉自在に且つ、スプリングの弾発力により閉塞方向に付勢されたナス環において、
その係止部材(4) は、一対のプレート(10)を有し、
各プレート(10)は、前記フック部材(1) の基部(1a)に、前記フック先端(1b)方向に沿って設けられたガイド(9) を両面から挟持すると共に、そのガイド(9) に摺動自在に案内されて先端(10a) がフック部材(1) のフック先端(1b)に接離自在に当接し、
そのプレート(10)の外面にツマミ部(10b) が一体に突設され、
その一対のプレート(10)と前記ガイド(9) との間にスプリング(7) が内装されたことを特徴とするナス環である。
【考案の効果】
【０００７】
本考案のナス環は、その係止軸６がフック先端1b方向に形成された案内溝5aにスプリング７を介して軸線方向に出入自在に摺動されたものであるから、その係止軸６に連結されたツマミ８を引き上げて移動することにより、フック部材１の基部1aとフック先端1bとの間を大きく開口することができる。そして、その開口から鞄側面に取付けた係止金具のリング等を容易にナス環内に挿脱し、両者間を係止状態にすることができる。
【０００８】
請求項２に記載の本考案においても、係止部材４が一対のプレート10からなり、それがフック部材１の基部1aのガイド９に摺動自在に案内され且つ、そのガイド９がフック先端1b方向に沿って設けられているから、係止部材４を引き上げたとき、その先端10a とフック先端1bとの間を大きく開口することができ、そのとき係止部材４自体が邪魔にならず、その開口に係止金具のリング等を容易に係脱することができる。
【考案を実施するための最良の形態】
【０００９】
次に、図面に基づいて本考案の実施の形態につき説明する。
図１は本考案の第１の実施の形態を示すナス環の正面図であり、図２はその要部分解斜視図、図３は一方のプレート５を取り外した状態を示す内部説明図である。
このナス環25は、フック部材１と連結部材３と一対のプレート５及び係止軸６並びにツマミ８からなる。フック部材１は板材のプレス成形品からなり、その基部1aの上端に軸部２が突設されている。基部1a及びフック部には補強用のプレス凸条15b が形成され、その裏面側が凹条をなす。
【００１０】
軸部２は連結部材３の捩れ部13に軸支されている。この例では連結部材３もプレス成形品からなり、全体が円形環状に形成され、その一方側偏平部が９０°捩じられて捩れ部13が形成され、その捩れ部13に設けられた図示ない孔に軸部２が挿通されると共に、リング16を介して軸部２の端部がカシメられてカシメ部14を形成し、それにより両者間が抜け止めされると共に、連結部材３に対してフック部材１が回動自在に軸支される。
【００１１】
次に、基部1aの一方側の側部両側には一対のプレート５が当接し、それに設けられたカシメピン11がフック部材１及び他方側のプレート５の孔12に挿通され、カシメピン11の先端がカシメられてそれらが一体的に基部1aに固定される。
各プレート５は金属ダイキャストの成形体からなり、その一側部の内面に互いに整合する半円形の案内溝5aが形成され、その案内溝5aはその下端が開放されている。また、各プレート５の側面には貫通部5bが案内溝5aに達するように欠切されている。そして係止軸６は、連結部17を介してその一側にツマミ８が突設されている。
【００１２】
このようにしてなる一対のプレート５の案内溝5a内には、スプリング７を介して係止軸６が挿通される。そして連結部17が貫通部5bに位置し、ツマミ８がプレート５の側部から突出する。スプリング７は圧縮スプリングからなり、係止軸６を常に突出方向に付勢する。その結果、係止軸６の先端が図２の如く、フック部材１のフック先端1bに当接する。
フック部材１の基部1aとフック先端1bとの間を開放するには、スプリング７の弾発力に抗して、ツマミ８を上方に押し上げればよい。このようなナス環25は、図１に示す如く、その連結部材３にベルト24の下端が挿通固定される。
【００１３】
また、カバン19の側部には支持布片23を介して係止金具20の下端の軸が取付けられ、その係止金具20の上端に設けた軸21がフック部材１内に挿脱自在に収納されるものである。この例の係止金具20は、Ｕ字状に折り曲げられた板材の上部が対向する一対の舌片状部を互いに離間し、それらの間が軸21で連結され、その軸21がフック部材１のフック部に止着されるものである。
この係脱の際には、ツマミ８を上方に押し上げ、係止軸６を上方に移動することにより、フック部材１の開口を開放して行うものである。
【００１４】
次に、図４は本考案の第２の実施の形態を示し、図５はその分解斜視図、図６はその一部を取り外した状態の説明図を示す。
この例では、図５，図６に示す如く、フック部材１の基部1aの一側部に一対のスリットが互いに離間して配置され、それらの間にスプリング受け26が設けられている。そしてフック部材１の側面及びスリットの内面がガイド９を形成し、それらに一対のプレート10の内面が案内される。即ち、プレート10は一対のガイド９に摺接する内面を有する。そして、一方のプレート10には一対のカシメピン11が突設され、それが他方のプレート10の孔12に挿通されてカシメられ一対のプレート10が一体化される。
【００１５】
このときスプリング受け26にスプリング７が挿通され、その先端がプレート10の内部底面に着座し、プレート10を下方に付勢する。プレート10の一側には、ツマミ部10b が側方に一体に突出している。而してこの例では、常時プレート10が下方に付勢され、その下端がフック先端1bに当接する。
フック部材１の基部1aとフック先端1bとの間を開放するには、スプリング７に抗してツマミ部10b を上方に押し上げればよい。
【図面の簡単な説明】
【００１６】
【図１】本考案のナス環の第１の実施の形態を示す正面図。
【図２】同ナス環の要部分解斜視図。
【図３】同ナス環であって、一方のプレート５を取り外した状態を示す説明図。
【００１７】
【図４】本考案のナス環の第２の実施の形態を示す正面図。
【図５】同ナス環の要部分解斜視図。
【図６】同ナス環の一方のプレート10を取り除いた状態を示す説明図。
【符号の説明】
【００１８】
１  フック部材
1a  基部
1b  フック先端
２  軸部
３  連結部材
４  係止部材
５  プレート
5a  案内溝
5b  貫通部
６  係止軸
７  スプリング
【００１９】
８  ツマミ
９  ガイド
10  プレート
10a   先端
10b   ツマミ部
11  カシメピン
12  孔
13  捩れ部
14  カシメ部
15a   プレス突条
15b   プレス突条
【００２０】
16  リング
17  連結部
18  突条
19  カバン
20  係止金具
21  軸
22  軸
23  支持布片
24  ベルト
25  ナス環
26  スプリング受け
【図１】
0003126270.tif 000003
【図２】
0003126270.tif 000004
【図３】
0003126270.tif 000005
【図４】
0003126270.tif 000006
【図５】
0003126270.tif 000007
【図６】
0003126270.tif 000008